(57)【特許請求の範囲】
【請求項１】
嵌め殺し窓の横架された枠体に室内側と室外側を通ずる換気通路を設けた換気装置において、
換気通路の室内側にあって上方を向いて開口した室内側開口部を開閉する開閉部材と、
開閉部材が開く際に抵抗となる回転速度のｎ乗に比例するトルクを生ずるロータリダンパであって前記枠体側に固定されたロータリダンパと、
開閉部材を閉めた状態で係脱する掛金装置と、
を有し、
開閉部材は室内側開口部の室内寄りの横架された枠体の縁に枢着され、互いに一端が枢着された二つのリンクの一方のリンクの他端は開閉部材側部の端板に回転自在に枢着されると共に他方のリンクの他端はロータリダンパの軸に固定され、互いに一端が枢着されたリンクの枢着部に開閉部材を開く方向に付勢するねじりコイルばねを設け二つのリンクと開閉部材と前記枠体とで四節連鎖機構を構成し、開閉部材を閉じた状態で二つのリンクは狭角が小さく、その高さはほぼ開閉部材の厚さ位となって開閉部材の側方から見て開閉部材と重なっていると共に開閉部材が開いた際にロータリダンパの軸に固定されたリンクと開閉部材は夫々直立していることを特徴とする嵌め殺し窓の換気装置。
【請求項２】
掛金装置は開閉部材に夫々設けられ前記枠体側部材と係脱する鎌と、鎌の係脱を行う押ボタンと、一端が鎌に接して鎌を枠体側部材に係合する方向に付勢すると共に他の一端が押しボタンに接して押ボタンを復元する方向に付勢する一つのねじりコイルばねと、を有することを特徴とする請求項１に記載の嵌め殺し窓の換気装置。
【発明の詳細な説明】
【０００１】
【発明の属する技術分野】
本発明は建物の開口部に設けた嵌め殺し窓の換気装置に関する。
【０００２】
【従来の技術】
従来、カーテンウオール工法における嵌め殺し窓の横架された枠体、例えば床面に近い下枠に換気装置を備えることが行われている。
【０００３】
この換気装置は下枠のほぼ全長にわたり、室内外を通ずる換気通路を設け、室内側に開口する換気通路の開口部を開閉する開閉部材を設けている。
【０００４】
従来、開閉部材は開閉部材に手を掛けて開く方法のものは開閉部材の重さに抗して持ち上げるため操作性がよくない。そこで開閉部材をばねで開くようにし、閉めた状態の開閉部材を掛金装置で係止しておいて、掛金装置を解除手段で解除することにより開閉部材を開くようにしたものがある。
【０００５】
【発明が解決しようとする課題】
ばねで開閉部材を開くようにすると、開閉部材が急激に開いてしまう。開閉部材を急激に開くと操作する人が予期していないため驚くということがある。また、開閉部材が加速して開き全開位置で急停止するため騒音を発生する。そして、開閉部材を開閉するための機構部分に衝撃負荷を与えるので耐久の上からも好ましくない。
【０００６】
本発明は上記従来の技術を更に発展させたものであり、開閉部材が円滑に静かに開き操作性のよい嵌め殺し窓の換気装置を提供することを目的とする。
【０００７】
【課題を解決するための手段】
本出願に係る第１の発明は嵌め殺し窓の横架された枠体に室内側と室外側を通ずる換気通路を設けた換気装置において、
換気通路の室内側にあって上方を向いて開口した室内側開口部を開閉する開閉部材と、
開閉部材が開く際に抵抗となる回転速度のｎ乗に比例するトルクを生ずるロータリダンパであって前記枠体側に固定されたロータリダンパと、
開閉部材を閉めた状態で係脱する掛金装置と、
を有し、
開閉部材は室内側開口部の室内寄りの横架された枠体の縁に枢着され、互いに一端が枢着された二つのリンクの一方のリンクの他端は開閉部材側部の端板に回転自在に枢着されると共に他方のリンクの他端はロータリダンパの軸に固定され、互いに一端が枢着されたリンクの枢着部に開閉部材を開く方向に付勢するねじりコイルばねを設け二つのリンクと開閉部材と前記枠体とで四節連鎖機構を構成し、開閉部材を閉じた状態で二つのリンクは狭角が小さく、その高さはほぼ開閉部材の厚さ位となって開閉部材の側方から見て開閉部材と重なっていると共に開閉部材が開いた際にロータリダンパの軸に固定されたリンクと開閉部材は夫々直立していることを特徴とする嵌め殺し窓の換気装置である。
【０００８】
本出願に係る第２の発明は掛金装置は開閉部材に夫々設けられ前記枠体側部材と係脱する鎌と、鎌の係脱を行う押ボタンと、一端が鎌に接して鎌を枠体側部材に係合する方向に付勢すると共に他の一端が押しボタンに接して押ボタンを復元する方向に付勢する一つのねじりコイルばねと、を有することを特徴とする請求項１に記載の嵌め殺し窓の換気装置である。
【００１０】
【発明の実施の形態】
以下図面を用いて本発明の実施の形態について説明する。
【００１１】
図１はカーテンウオール工法による開口部に嵌め殺し窓を設けたものであり、その枠体構成は上枠１、下枠２、竪枠３、無目４を有し、これらの枠体内にガラス５，６が嵌め込まれている。このような嵌め殺し窓部は横方向に連設されている。また、下枠２の下方にはガラス８が嵌め込まれている。
【００１２】
図２は図１のＡ−Ａ拡大断面図である。下枠２はその部屋の床盤７より立ち上がる腰無目である。下枠２は建屋の上下方向を通ずる竪枠３に固定されている。上枠１上方には竪枠３間に壁パネル９が嵌め込まれ、壁パネル９の上縁は上階の下枠２と係合している。
【００１３】
図３は図２の一部拡大図であって下側の下枠２の部分を示す。下枠２は上下に分かれて上側枠２１、下側枠３１を後述のように竪枠３と上側枠２１と下側枠３１を夫々結合固定すると共に夫々に設けたＴ溝２１ａ，３１ａに嵌合するＴボルトナット１１でもって上側枠２１と下側枠３１を上下方向にわたした結合部材１２で連結している。
【００１４】
図６には竪枠部分の水平断面が示されている。竪枠３の外部側に竪枠３に沿って補助竪枠１８が配設されている。竪枠３に設けた条溝３ｃに嵌入した気密材１９は補助竪枠１８に接触している。補助竪枠１８の条溝１８ａにはパッキン２０が嵌合している。パッキン２０にガラス５の縦方向の縁が接している。ガラス５と補助竪枠１８間にはパッキン２０の上からシール材２０ａが施工されている。相隣るガラス５，５間の目地にはパッキン２０の上にシール材２０ｂが施工されている。
【００１５】
上記において、竪枠３と補助竪枠１８の結合方法は、竪枠３の断面Ｔ形の突条３ｄの先端３ｅが補助竪枠１８のチャンネル１８ｂに係止されることで結合されている。
【００１６】
図３に示すように竪枠３と下側枠３１はアングル状の結合部材１２を挿通してボルト１３を竪枠３にねじ込み固定されている。上側枠２１と下側枠３１との間には開口部２ｄが外部側に対して形成される。この開口部２ｄは隣り合う竪枠３間に横方向に長い形で開口している。
【００１７】
上側枠２１に設けたＬ形断面の係止突条２１ｂには換気通路枠４０，４１の一方の枠４０の係止突条４０ｂが係止されている。換気通路枠４０と上側枠２１は小ねじ１４により固定されている。換気通路枠４１は下側枠３１に小ねじ１５でもって結合されている。換気通路枠４０，４１間は角部を大きな円弧としたＬ形状の換気通路２ｆとなっている。換気通路２ｆは室内側に開口部２ｇを有する。換気通路２ｆの室外側は上側枠２１と下側枠３１間の開口部２ｄが続いている。換気通路枠４０，４１は竪枠３まで両端が達しており、両端部には開閉部材５０のパッキン座４０ａ，４１ａと同一面にパッキン座４２ａを有するスペーサ４２が設けられている。スペーサ４２はタッピンねじ４２ｂを換気通路枠４０，４１を挿通してスペーサ４２のタッピン穴４２ｃ（図４、図５参照）にねじ込み、換気通路枠４０，４１と夫々固定されている。このスペーサ４２は図４に示すように換気通路枠４０，４１間に丁度一致する見込み方向寸法を有する。
【００１８】
このスペーサ４２は図５に示すように竪枠３に小ねじ３ａで固定したアングル３ｂに支持されている。従ってパッキン座４０ａ，４１ａ，４２ａは一平面上に有り、パッキン座４０ａ，４１ａ，４２ａで囲まれて開口部２ｇが形成されている。パッキン座４２ａはスペーサ４２の上面となっている。
【００１９】
この開口部２ｇの下方には換気通路枠４０，４１の内面に互いに対向してフランジ４０ｃ，４１ｂが設けてある。このフランジ４０ｃ，４１ｂにファインメッシュの除塵フィルタ４３が載置して小ねじ４４により固定されている。除塵フィルタ４３は換気通路２ｆを覆っている。除塵フィルタ４３は外気が室内へ持ち込もうとする塵を取り除くと共に開閉部材５０が開いているときに誤って物を換気通路２ｆ内へ落とすのを防止するものである。
【００２０】
換気通路枠４０，４１は上側枠２１、下側枠３１間へ進入している。換気通路枠４０と上側枠２１間の開口部２ｄにのぞむ部分には気密材１６が挿入されている。また、換気通路枠４１と下側枠３１間の開口部２ｄにのぞむ部分には気密材１７が挿入されている。各気密材１６，１７はスポンジ、ウレタンフオーム等で作られるが長手方向に硬質の合成樹脂等のバックアップ部材１６ａ，１７ａが貼り付けられている。
【００２１】
換気通路枠４０，４１はパッキン座４０ａ，４１ａ，４２ａよりも上方へのびており、換気通路枠４０，４１、パッキン座４０ａ，４１ａ，４２ａ上の凹部には開閉部材５０が丁度嵌り込んでいる。この凹部の長手方向（外壁に沿う方向）の端にはスぺーサ４２がありスペーサ４２に小ねじ４２ｅで固定した端板４２ｄが設けてある。端板４２ｄと竪枠３間は気密パッキン４２ｆとシール材４２ｇで密封されている。
【００２２】
この開閉部材５０は換気通路枠４１に枢着され、開閉自在である。図３、図７に示すように開閉部材５０の室内側側面には突条５０ａが設けてある。この突条５０ａは先端が上に凹な形状の円弧部５０ｂを有する。円弧部５０ｂの凹形部は図において左方を向いており、中心角はほぼ１８０度である。一方換気通路枠４１の上縁には開閉部材５０の突条５０ａの円弧部５０ｂの内側に当接する円弧形断面の回転芯４１ｃを下端に持ってＬ形突条４１ｄが設けられている。回転芯４１ｃの円弧部の中心角はほぼ２７０度であり、第１、第３、第４象限に位置している。従って換気通路枠４１の開閉部材５０の入る凹部の周壁をなす内側板部４１ｅとＬ形突条４１ｄ間に前記開閉部材の円弧部５０ｂが進退できるようになっている。そして、円弧部５０ｂの外側に当接するガイド部材４５が小ねじ４６（図３参照）でもって、換気通路枠４１に固定されている。ガイド部材４５の円弧部５０ｂの外側に当接する部分は円弧部５０ｂの外側の半径と等しい半径を有する断面円弧形である。
【００２３】
開閉部材５０は見込方向の垂直面で切ると閉じた方形断面を有し、下面にパッキン座４０ａ，４１ａに対向して条溝を形成するように突条５０ｃが設けてある。この突条５０ｃにはパッキン４７が係止されている。パッキン４７はパッキン座４０ａ，４１ａに軽い力で圧接している。パッキン４７はパッキン座４０ａ，４１ａ，４２ａに接するように囲繞した配置であり、見込み方向では図５に示すように係止突条５１ａに係止されている。この係止突条５１ａを有する端板５１は開閉部材５０の端部にタッピンねじ５２により固定されている。開閉部材５０の上板５０ｄは平板状であり、換気通路枠４０，４１の最上端よりわずかに近い位置にある。上板５０ｅは図５に示すように左右にのびてフランジ部５０ｆを有する。
【００２４】
外部側に面する開口部２ｄの建屋壁面に沿う方向の限界は図５に示すように竪枠３側の近くのスペーサ４２にわずかに重なる部分である。この換気通路枠４０，４１の端部は端板４８で閉塞されている。この端板４８を挿通して図４に示すようにタッピンねじ４９が換気通路枠４０，４１のタッピン穴４０ｄ，４１ｆにねじ込まれて換気通路２ｆを形成すると共に換気通路枠４０，４１を強固に結合している。端板４８とスペーサ４２で形成される隅はシール材５９が施工される。このシール材５９は例えばシリコンボンドである。
【００２５】
外部側の開口部２ｄにおいて、上側枠２１にはＬ形の係止突条２１ｃが設けてある。また、下側枠３１には突条３１ｃが設けてある。上記上側枠２１の係止突条２１ｃに係合する係止突条２２ａを有するルーバ２２は下側枠３１の突条３１ｃに嵌合する溝を構成する突条２２ｂを有する。下側枠３１は水返し３１ｂを内周材３１ｄの終る部分に設けてある。この換気通路２ｆの下側は外部側より下側枠３１の内周材３１ｄ、下側枠３１の上に重ねた換気通路枠４１の下段４１ｇ、下段４１ｇより室内側へ向って一段高くなった底板４１ｈと順次高くなっている。そして、曲り部４１ｉが底板４１ｈに続いている。曲り部４１ｉの上方へ垂直壁４１ｊがつづく。そこで換気通路２ｆで結露すると曲り部４１ｉに流下した露は底板４１ｈ、下段４１ｄ、内周材３１ｄを伝わり外部側へ流下するようになっている。なお、突条２２ｂ，３１ｃには上記露が排出されるように切り欠きを設けてある。
【００２６】
上側枠２１にはガラスライナ２３を介してガラス５が載置され、上側枠２１に設けた突条２１ｄ，２１ｅにアタッチ材２４が係止されている。ガラス５と上側枠２１及びアタッチ材２４との間には夫々弾性パッキン２６，２７を挿入してガラス４を保持し、その上からシール材２８，２９でガラス５と上側枠２１及びアタッチ材２４との間を密封している。
【００２７】
図３に示すようにガラス８は下側枠３１のガラス溝３１ｇに上縁が入り込み、ガラス８の上縁は下側枠３１の外側材３１ｈとの間に弾性部材６１を挿入しその上からシール材６２を施工してある。そしてガラス８の内側面と下側枠３１の間は下側枠３１に設けた条溝３１ｉにグレージングビート６３を挿入し、ガラス８を保持すると共に内外部間を封止してある。
【００２８】
（開閉部材の制御装置構成）
図７、図８、図９、図１０に示すように、スペーサ４２上にはロータリダンパ３３が小ねじ３２により固定されている。ロータリダンパ３３は軸３３ａ（図８参照）を有し、軸３３ａを回転するトルクが軸３３ａを回転する速度のｎ乗に比例するものである。互いに枢着されたリンク３４，３５の枢着部分には、ねじりコイルばね３６が挿入されてリンク３４，３５の挾角θを拡大する方向に付勢している。
【００２９】
図８、図１０の位置ではリンク３４がストッパ３３ｃに当り、リンク３４はねじりコイルばね３６のばね力でストッパ３３ｃに加圧されている。この状態では開閉部材５０はほぼ直立している。ストッパ３３ｃはダンパ本体３３ｅに固定したブラケット３３ｂにねじ込まれている。リンク３４のリンク３５と枢着した一端と反対側の他端はロータリーダンパ３３の軸３３ａに固定されている。リンク３５のリンク３４と枢着した一端と反対側の他端はブラケット３７に設けた軸３７ａに回転自在に支持されている。ブラケット３７は端板５１（図５参照）に小ねじ３８でもって固定されている。なお、この開閉部材５０の制御装置は開閉部材５０の長手方向（ガラス面に平行な方向）の両端部に備えるが、一方端はロータリダンパ３３を有するが、他方端はロータリダンパ３３の軸３３ａに相当する位置においてリンク３４をスペーサ４２に枢着してある（図示されない）。
【００３０】
図７は後述するロック装置でもって開閉部材５０が係止され図３のように換気通路２ｆの室内側の開口部２ｇが閉じられている状態におけるリンク３４，３５等の位置を示す。図７に示すように開閉部材５０が閉じていると、リンク３４，３５は挾角が小さく、その高さはほぼ開閉部材５０の厚さ位になっている。図８に示すように開閉部材５０が開くと、リンク３４は直立して開閉部材５０と平行し、リンク３５はリンク３４との結合部から右斜め上方を向いている。上記リンク３４，３５、開閉部材５０、スペーサ４２でもって四節連鎖機構を構成している。
【００３１】
（掛金装置）
開閉部材５０を閉めた際の掛金装置についてのべる。図６、図１１に示すように開閉部材５０の上面にはロック解除用押ボタン７０が設けられている。
【００３２】
図１２は掛金装置の側面図、図１３は図１２の縦断面図、図１４は図１２の正面図である。開閉部材５０は上板５０ｄ、下板５０ｅに同一の上下方向の中心線上に円穴５０ｇ，５０ｈがあけられている。円穴５０ｇ，５０ｈには掛金装置本体７１の胴部７１ｄが嵌入している。この本体７１は上部につば７１ａを有する。つば７１ａと上板５０ｄ間には本体用シール材７２が挿入されている。胴部７１ｄの外周は円筒形で下端に、図１３に示すようにおねじ７１ｂが設けてある。図１２に示すように、おねじ７１ｂにはナット７３がねじ込まれている。ナット７３と開閉部材５０の下板５０ｅ間にはシール材７４が介装されている。上記シール材７２，７４でもって掛金装置本体７１の外周側と開閉部材５０間は密封されている。
【００３３】
掛金装置本体７１の胴部７１ｄの内周は円筒形の段穴となっている。この段穴は上部が小径穴７１ｅで下部が大径穴７１ｆとなっている。この段穴には夫々小径穴７１ｅ、大径穴７１ｆに滑合する小径部７０ａ、大径部７０ｂを有する押ボタン７０が挿入されている。押ボタン７０の小径部７０ａと大径部７０ｂの段部には押しボタン用シール材７５が嵌められている。このシール材７５は内周が押ボタン７０の小径部７０ａに接すると共に外周がロック機構本体７１の大径部７１ｆに接するリング状である。これによって、押ボタン７０と掛金装置本体７１間は封止されている。
【００３４】
図１４に示すように押ボタン７０は下部に対向する平行平面７０ｃを有する凹部７０ｄが設けられている。凹部７０ｄの間に丁度入るヨーク７６ａを有する鎌７６が設けてある。ヨーク７６ａにロック機構本体７１に嵌合するピン７７が貫通しており、鎌７６はピン７７を中心に回動可能となっている。ピン７７が押ボタン７０を挿通する部分は押ボタン７０が上下動できるように押ボタン７０に長穴７０ｆが設けてある。ピン７７にはねじりコイルばね７８が挿入されており、該ばね７８の一端７８ａは押しボタン７０に設けたばね受け７０ｅにばね力で圧接し、他端７８ｂは鎌７６の背部のばね受け７６ｂにばね力で圧接して鎌７６を図１２、図１３において時計回りに付勢している。また、このばね７８のばね力で押ボタン７０は上方へ付勢されている。鎌７６にはストッパ部７６ｃが設けてある。このストッパ部７６ｃは鎌７６の時計回りの回動限度を定めるもので押ボタン７０のストッパ受け７０ｇに接触するようになっている。上記において、鎌７６の運動を妨げないように掛金装置本体７１の胴部７１ｄの一部には切り欠き７１ｇが設けてある。
【００３５】
掛金装置はロック機構であって鎌７６の鎌先端部７６ｃは図１２に示す受金７９の鎌受け部７９ａに係脱可能となっている。受金７９は換気通路枠４０に固定されている。その固定方法は換気通路枠４０の突条４０ｆ，４０ｇ間に鉄製の裏板５３を挿入し、換気通路枠４０を挿通してボルト５４を裏板５３にねじ込んでなる。
【００３６】
上記構成の作用を説明する。開閉部材５０が閉めてある状態ではパッキン４７がパッキン座４０ａ，４１ａ，４２ａに当接し、外部に換気通路２ｆを介して通じ得る開口部２ｇは閉じられている。開閉部材５０が閉じた状態においては鎌先端部７６ｄは受金７９の鎌受部７９ａに係合している。なお、この状態では鎌７６のストッパ７６ｃと押ボタン７０のストッパ受部７０ｇとは接しておらず両者間には隙間がある。リンク３４，３５は挾角θを最小にした状態で図７に示すように開閉部材５０の厚さとほぼ等しく折りたたまれている。ねじりコイルばね３６は最大限ねじられて復元すべきエネルギーが蓄積されている。
【００３７】
押ボタン７０を押し下げるとストッパ受部７０ｇが鎌７６のストッパ７６ｃを下方へ押して、鎌７６をピン７７を中心にねじりコイルばね７８のばね力に抗して図１３において反時計回りに回動させるので鎌７６の鎌先端部７６ｄは受金７９の鎌受部７９ａから図１２において右方へ外れる（図１５参照）。すると、図７においてねじりコイルばね３６のばね力でリンク３４，３５はその挾角を拡大し、開閉部材５０を回転芯４１ｃを中心にし時計回りに回動する。開閉部材５０が開き始めると押ボタン７０から手を離すので、図１５のように一旦後退した鎌７６はねじりコイルばね７８のばね力で時計回りに回動すると共に押ボタン７０は上昇し、掛金装置本体７１の内周の段部に押ボタン７０の外周の段部が押ボタン用シール７５を介して当り停止する。この際リンク３４はロータリダンパ３３の軸３３ａを時計回りに回動させるので、ねじりコイルばね３６のばね力でリンク３４，３５の挾角を加速して開かせようとするのをロータリダンパ３３は制動を加える。従って、開閉部材５０が開く際に衝撃が生せず、静かに開く。図８の状態まで開閉部材５０がほぼ直立するとリンク３４がストッパ３３ｃに当る。そしてリンク３４と開閉部材５０は直立している。リンク３４，３５間の挾角θも最大となり、ねじりコイルばね３６はそれ以上開閉部材５０を開くことはない。
【００３８】
上記状態で、図３に矢印で示すように外気はルーバ２２、開口部２ｄ、換気通路２ｆ、除塵フィルタ４３、開口部２ｇをとおり室内へ入る。内気が大気圧より高いときは室内の空気が上記と逆方向に流れて外気中に放出される。
【００３９】
開閉部材５０を閉めるには図８において開閉部材５０を手で外部側へ向ってねじりコイルばね３６のばね力に抗して押しながら押し下げると開閉部材５０は回転芯４１ｃを中心にして反時計回りに回転し、リンク３４，３５は挾角θを小さくしながら回転し、リンク３４はロータリダンパ３３の軸３３ａと共に反時計回りに回転する。ロータリダンパ３３が正逆両方に減衰作用が働くものの場合でも、開閉部材５０は手で押す速度であるから大きな抵抗を生じない。なおロータリダンパ３３は開閉部材５０を閉める際には作動しない形式又は開閉部材５０を開く際よりも閉める際の減衰力が小さいロータリダンパ３３を用いてもよい。開閉部材５０が開口部２ｇに近ずくと、掛金装置の鎌７６の導入部７６ｅが受金７９の鎌受け部７７ａに当る。ここで開閉部材５０を下方へ向って押しつけると、ねじりコイルばね７８のばね力に抗して鎌７６はピン７７を中心に反時計回りに回動し鎌先端部７６ｄが鎌受け部７９ａの先端を越えて下るとねじりコイルばね７８のばね力で鎌７６はピン７７を中心に時計回りに回動し鎌７６と受金７９は係合し、開閉部材５０を開放方向へ付勢するねじりコイルばね３６は最大限にねじれた状態で開閉部材５０は閉じた状態を保持される。
【００４０】
【発明の効果】
本発明によれば嵌め殺し窓の横架された枠体に設けた換気装置の開閉部材が円滑に静かに開き装置に衝撃がなく耐久を増す。
【図面の簡単な説明】
【図１】カーテンウオールの嵌め殺し窓の外部側より見る正面図ある。
【図２】図１のＡ−Ａ断面図である。
【図３】図２の下枠の縦断面部である。
【図４】図３に平行な端部の縦断面図である。
【図５】図１の紙面に平行な室内側開口部の縦断面図である。
【図６】図５の平面図である。
【図７】開閉部材の開閉制御装置の側面図である（開閉部材閉状態）。
【図８】開閉部材の開閉制御装置の側面図である（開閉部材開状態）。
【図９】開閉部材の開閉制御装置の正面図である。
【図１０】開閉部材の開閉制御装置の斜視図である。
【図１１】外部側より見る換気装置の斜視図である。
【図１２】掛金装置の側面図である。
【図１３】掛金装置の縦断面図である。
【図１４】掛金装置の正面図である。
【図１５】掛金装置の縦断面図である。
【符号の説明】
１…上枠
２…下枠  ２ｄ…開口部  ２ｆ…換気通路  ２ｇ…開口部
３…竪枠  ３ａ…小ねじ  ３ｂ…アングル  ３ｃ…条溝  ３ｄ…突条  ３ｅ…先端
４…無目
５…ガラス
６…ガラス
７…床盤
８…ガラス
９…壁パネル
１１…Ｔボルトナット
１２…結合部材
１３…ボルト
１４…小ねじ
１５…小ねじ
１６…気密材  １６ａ…バックアップ部材
１７…気密材  １７ａ…バックアップ部材
１８…補助竪枠  １８ａ…条溝  １８ｂ…チャンネル
１９…気密材
２０…パッキン  ２０ａ，２０ｂ…シール材
２１…上側枠  ２１ａ…Ｔ溝  ２１ｂ…係止突条  ２１ｃ…係止突条  ２１ｄ，２１ｅ…突条
２２…ルーバ  ２２ａ…突条  ２２ｂ…突条
２３…ガラスライナ
２４…アタッチ材
２６…弾性パッキン
２７…弾性パッキン
２８…シール材
２９…シール材
３１…下側枠  ３１ａ…Ｔ溝  ３１ｂ…水返し  ３１ｃ…突条  ３１ｄ…内周材  ３１ｇ…ガラス溝  ３１ｈ…外側材  ３１ｉ…条溝
３２…小ねじ
３３…ロータリダンパ  ３３ａ…軸  ３３ｂ…ブラケット  ３３ｃ…ストッパ
３３ｅ…ダンパ本体
３４…リンク
３５…リンク
３６…ねじりコイルばね
３７…ブラケット  ３７ａ…軸
３８…小ねじ
４０…換気通路枠  ４０ａ…パッキン座  ４０ｂ…係止突条  ４０ｃ…フランジ  ４０ｄ…タッピン穴  ４０ｆ，４０ｇ…突条
４１…換気通路枠  ４１ａ…パッキン座  ４１ｂ…フランジ  ４１ｃ…回転芯
４１ｄ…Ｌ形突条  ４１ｅ…内側板部  ４１ｆ…タッピン穴  ４１ｇ…下段
４１ｈ…底板  ４１ｉ…曲り部  ４１ｊ…垂直壁
４２…スペーサ  ４２ａ…パッキン座  ４２ｂ…タッピンねじ  ４２ｃ…タッピン穴  ４２ｄ…端板  ４２ｅ…小ねじ  ４２ｆ…気密パッキン  ４２ｇ…シール材
４３…除塵フィルタ
４４…小ねじ
４５…ガイド部材
４６…小ねじ
４７…パッキン
４８…端板
４９…タッピンねじ
５０…開閉部材  ５０ａ…突条  ５０ｂ…円弧部  ５０ｃ…突条  ５０ｄ…上板  ５０ｅ…下板  ５０ｆ…フランジ部  ５０ｇ，５０ｈ…円穴
５１…端板  ５１ａ…係止突条
５２…タッピンねじ
５３…裏板
５４…ボルト
５９…シール材
６１…弾性部材
６２…シール材
６３…グレージングビード
７０…ロック解除用押ボタン  ７０ａ…小径部  ７０ｂ…大径部  ７０ｃ…平行平面  ７０ｄ…凹部  ７０ｅ…ばね受け  ７０ｆ…長穴  ７０ｇ…ストッパ受け
７１…掛金装置本体  ７１ａ…つば  ７１ｂ…おねじ  ７１ｄ…胴部  ７１ｅ…小径穴  ７１ｆ…大径穴  ７１ｇ…切り欠き
７２…本体用シール材
７３…ナット
７４…シール材
７５…押しボタン用シール材
７６…鎌  ７６ａ…ヨーク  ７６ｂ…ばね受け  ７６ｃ…ストッパ  ７６ｄ…鎌先端部  ７６ｅ…導入部
７７…ピン
７８…ねじりコイルばね  ７８ａ…一端  ７８ｂ…他端
７９…受金  ７９ａ…鎌受け部
【図１】
0004494578.tif 000002
【図２】
0004494578.tif 000003
【図３】
0004494578.tif 000004
【図４】
0004494578.tif 000005
【図５】
0004494578.tif 000006
【図６】
0004494578.tif 000007
【図７】
0004494578.tif 000008
【図８】
0004494578.tif 000009
【図９】
0004494578.tif 000010
【図１０】
0004494578.tif 000011
【図１１】
0004494578.tif 000012
【図１２】
0004494578.tif 000013
【図１３】
0004494578.tif 000014
【図１４】
0004494578.tif 000015
【図１５】
0004494578.tif 000016